(57)【要約】      （修正有）【課題】法令を順守しかつ、家庭用コンセントの許容電流である１５アンペアに対応し、かつ銅材の使用量を、従来より削減した電気コードを提供する。【解決手段】少なくとも複数の銅線を束ねて導体３０とし、当該導体３０を、耐熱性を有する絶縁体４０で覆い、かつ、許容電流が１５アンペアに対応した電気コード１０であって、その複数の銅線を束ねた導体３０の断面積が、１．３７５平方ミリメートル以上であるという電気コード１０である。【選択図】図１
0003193535.tif 000002
【実用新案登録請求の範囲】
【請求項１】
少なくとも複数の銅線を束ねて導体とし、当該導体を、耐熱性を有する絶縁体で覆い、かつ、許容電流が１５アンペアに対応した電気コードであって、その複数の銅線を束ねた導体の断面積が、１．３７５平方ミリメートル以上であることを特徴とする電気コード。
【請求項２】
少なくとも複数の銅線を束ねて導体とし、当該導体を、耐熱性を有する絶縁体で覆った電気コードであって、そのうちの1の銅線の直径が０．１８ミリメートルであることを特徴とする請求項１記載の電気コード。
【請求項３】
銅線を５５本束ねたことを特徴とする請求項１または２記載の電気コード
【請求項４】
耐熱性の絶縁体は、クロロプレンゴム混合物、スチレンブタジエンゴム混合物、耐熱ビニル混合物、ポリエチレンゴム混合物、ポロオレフィン混合物のいずれか１以上を使用することを特徴とする請求項１から３いずれか１項記載の電気コード
【考案の詳細な説明】
【技術分野】
【０００１】
本考案は、家庭用の電気製品類に使用する電気コードに関するものである。
【背景技術】
【０００２】
一般的な家庭用の電気コードは、複数の銅線を束ねて導体とし、それを絶縁体で覆ったものであるが、その電気コードを使用すると、該電気コードの発熱によって該導体を覆っている絶縁体が溶けて人体に危害を及ぼす可能性があるため、電気用品安全法のもと当該電気コードは製造されている。
【０００３】
この法令によると、絶縁体の温度が摂氏６０度に設定すると、許容電流が１７アンペアの場合における銅線を複数束ねた導体の断面積が２．０平方ミリメートルであれば、その設定した前記摂氏６０度以上に温度が上昇することなく、当該絶縁体の溶解が避けられるというものである。
【０００４】
一方で今日の発展途上国等の経済発展により銅の使用量が増加し、世界的に銅の価格が高騰する状況において、電気コードの製造コストが上昇しているため当該導体における銅の使用量を減らす必要がある。しかしながら、電気コードにおける銅の使用量を減少させるために導体における銅の断面積の割合が減少すると、電気コードの抵抗が増し、当該電気コードの温度が上昇する恐れがあり上記法令を順守することができない。
【０００５】
上記のとおり許容電流が１７アンペアの場合のコードにおける導体の断面積が２．０平方ミリメートルであれば、その設定した摂氏６０度以上に温度が上昇することなく、導体を覆っている絶縁体の溶解が避けられるというものであるが、導体における銅の価格が高騰しているために電気コードの製造コストがかさんでしまうことになる。
【０００６】
そこで、上記法令のもと絶縁体の耐熱温度を摂氏７５度に設定にした状態で、コードにおける導体の断面積を２．０平方ミリメートルにした場合には、許容電流が２０アンペアまで許容される。しかしながら、各家庭において通常使用するコンセントの許容電流は１５アンペアであり、摂氏７５度に耐えられる絶縁体を使用したコードにおける導体の断面積が２．０平方ミリメートルのままでは、銅の使用量は変わらない。また、上記摂氏７５度に耐えられる絶縁体は、６０度に耐えられる絶縁体よりも高価なため、コストを十分に削減することはできない。
【０００７】
そこで、家庭用コンセントの許容電流である１５アンペアに適応すべく、さらなる研究開発を行った。なお、先行技術を発見すべく先行技術調査をしたところ適当な先行技術が発見できなかった。
【考案の開示】
【考案が解決しようとする課題】
【０００８】
本考案は、法令を順守しかつ、家庭用コンセントの許容電流である１５アンペアに対応し、かつ銅材の使用量を、従来より削減した電気コードを提供することを目的とする。
【課題を解決するための手段】
【０００９】
前記の課題を解決するため、本考案は、少なくとも複数の銅線を束ねて導体とし、当該導体を、耐熱性を有する絶縁体で覆い、かつ、許容電流が１５アンペアに対応した電気コードであって、その複数の銅線を束ねた導体の断面積が、１．３７５平方ミリメートル以上であるという手段を講じたものである。なお、銅線とは銅のみならず銅合金も含む趣旨である。
【００１０】
本考案に係る複数の銅線を束ねた導体の断面積が少なくとも１．３７５平方ミリメートル以上であれば、家庭において通常使用するコンセントの許容電流は１５アンペアに対応することができる。耐熱性の絶縁体とは、法令で定められている摂氏７５度以上に耐えられる絶縁体をいい、合成樹脂類であることが好ましい。なお、合成樹脂類には合成ゴム類を含む趣旨である。
【００１１】
また、前記の課題を解決するため、本考案は、少なくとも複数の銅線を束ねて導体とし、当該導体を、耐熱性を有する絶縁体で覆った電気コードであって、そのうちの１の銅線の直径が０．１８ミリメートルであるという手段を講じたものである。この直径の銅線は比較的安価であることからコストを削減することができる。
【００１２】
また、前記の課題を解決するため、本考案は、銅線を５５本束ねるという手段を講じたものである。このように、銅線の直径が０．１８ミリメートルの銅線を５５本以上使用すると、その断面積が、１．３７５平方ミリメートル以上となるので許容電流である１５アンペアの場合であっても、絶縁体の温度を摂氏７５度以下に抑えることができる。
【００１３】
また、前記の課題を解決するため、本考案における耐熱性の絶縁体は、クロロプレンゴム混合物、スチレンブタジエンゴム混合物、耐熱ビニル混合物、ポリエチレンゴム混合物、ポロオレフィン混合物のいずれか１以上を使用するという手段を講じたものである。これらは摂氏７５度に耐えられる絶縁体であることから、上記電気コードを使用した場合において溶ける恐れのないものである。
【考案の効果】
【００１４】
本考案は以上のように構成され、かつ、作用するものであるから、法令を順守するとともに、家庭用コンセントの許容電流である１５アンペアに対応し、かつ、銅材の使用を従来のものより削減した電気コードを提供することができる。
【図面の簡単な説明】
【００１５】
【図１】本考案に係るコードの分解斜視図
【図２】本考案に係るコードの断面図
【図３】電気用品安全法における電気用品の技術基準の解釈に記載されている別表第四、配線器具に記載されている周囲温度が３０度の場合の許容電流と導体の断面積の表
【図４】グラフ
【考案を実施するための形態】
【００１６】
図１は、銅線２０を複数束ねた導体３０に絶縁体４０で被覆した電気コード１０であるり、この電気コード１０、１０をさらに保護被覆５０で覆ったいわゆる２芯と呼ばれる、単相二線式の電気コード１００である。
【００１７】
銅線２０は、文字通り純銅のみで構成しても好ましいが、銅合金であっても好ましく銅線２０には純銅のみならず銅合金も含まれる趣旨である。本実施例では銅線２０の直径は、０．１８ミリメートルのものが好ましくそれを複数束ねることで導体３０とする。この場合、銅線２０は５５本を束ねることで、導体３０とすることが好ましい。このときの導体３０の断面積は、１．３９８平方ミリメートルであり、１．３７５平方ミリメートル以上とすることができる。ここで、１．３７５平方ミリメートル以上としたのは、内挿法より求めたものである。なお、複数の銅線２０は絶縁体４０で被覆することで束ねることもできる。
【００１８】
電気用品安全法における電気用品の技術基準の解釈に記載されている別表第四、配線器具に記載されている、周囲温度が３０度の場合の許容電流の表を図３とし、当該図３における数値を利用する。すなわち電気絶縁物の使用温度の上限値において摂氏７５度のもののうち１４アンペアのものと２０アンペアのものを使用する。この場合それぞれの断面積は１.２５平方ミリメートルと２．０平方ミリメートルである。
【００１９】
図４において、縦軸に許容電流をとり、横軸に導体の断面積をとる。この場合、縦軸における許容電流１４アンペアと、横軸における断面積１．２５平方ミリメートルの点Ａ、および横軸における許容電流２０アンペアと、縦軸における断面積２．００平方ミリメートルの点Ｂをプロットする。さらにこのプロットした点Ａ及び点Ｂを直線Ｌで結ぶ。
【００２０】
縦軸における１５アンペアの点Ｃから横軸と並行に直線Ｍを引き、当該直線Ｍと直線Ｌとの交点Ｄとする。この交点Ｄから縦軸と平行な線Ｎを引き、横軸との交点Ｅを求める。この場合において交点Ｅは、１．３７５平方ミリメートルを示し、耐熱温度が摂氏７５度、許容電流が１５アンペアの場合における、電気コード１０における導体３０の断面積が求められる。したがって導体３０の断面積を、１．３７５平方ミリメートル以上にすれば、導体３０の抵抗が増すことなく電気コードの温度が７５度以上に上昇することがない。
【００２１】
このように、絶縁体４０は、摂氏７５度以上に耐えられるものであり、摂氏７５度に耐えられる、クロロプレンゴム混合物、スチレンブタジエンゴム混合物、耐熱ビニル混合物、ポリエチレンゴム混合物、ポロオレフィン混合物のいずれか１以上を使用することが好ましい。また、摂氏８０度に耐えられる、ブチルゴム混合物、エチレンプロピレンゴム混合物、耐熱性エチレンゴム混合物を使用することができ、また、摂氏９０度に耐えられる、クロロスルホン化ポリエチレンゴム混合物、架橋ポリエチレンゴム混合物、架橋ポリオレフィン混合物を使用することができる。さらに摂氏９０度においてはケイ素ゴム混合物、四フッ化エチレン樹脂混合物を使用することもできる。
【００２２】
上記のとおり耐熱性の絶縁体４０は、摂氏７５度以上に耐えられるものを使用しているので、保護被覆５０は、それ以下の温度に耐えられるものでよく、例えば摂氏６０度に耐えられる天然ゴム混合物、ポロウレタンゴム混合物、塩化ビニル混合物であっても好ましい。もっとも、上記摂氏７５度以上に耐えられる上記耐熱性の絶縁体を使用することも好ましい。また、上記のコード１０を２本使用し、さらに保護被膜５０で覆うことで単相二線の電気コード１００とすることも好ましい。なお、上記のコード１０を３本使用して単相３線に使用できることは言うまでもない。
【００２３】
上記のとおり銅線２０の直径は、０．１８ミリメートルのものを使用することができるが、この直径のものは比較的安価であり、この銅線２０を５５本束ねて、導体３０とすることができる。この場合断面積が、上記のとおり１．３９８平方ミリメートルであり、上記の１．３７５平方ミリメートル以上であることから、これを耐熱性の絶縁体４０で覆うことで許容電流１５アンペアにおいて、温度が摂氏７５度以上に上昇することがない電気コード１０を比較的低コストで提供することができる。
【符号の説明】
【００２４】
１０    電気コード
２０    銅線    
３０    導体
４０    絶縁体
５０    保護被覆
１００  単相二線の電気コード
【図１】
0003193535.tif 000003
【図２】
0003193535.tif 000004
【図３】
0003193535.tif 000005
【図４】
0003193535.tif 000006